(57)【要約】【課題】グループにてカラオケに興じる際に当該グループに属する各ユーザの利用料金負担を公平に決定する。【解決手段】グループにてカラオケに興じる場合に、各ユーザが、歌唱した楽曲に対応するカラオケデータの再生時間のみならず、リモコン利用時間、ダウンロード時間、採点時間、を含む占有時間数を各ユーザについて算出し、当該算出した占有時間数が総占有時間数に占める割合に応じて、各ユーザの負担料金を決定する。【選択図】図３
2017068142.tif 000002
【特許請求の範囲】
【請求項１】
複数のユーザから構成されるグループによって利用されるカラオケシステムあって、
複数のカラオケデータの中から再生する１のカラオケデータを選択するためのユーザの指示入力を受け付ける受付手段と、
前記選択されたカラオケデータを再生する再生手段と、
前記ユーザによって選択されたカラオケデータが再生される毎に、当該カラオケデータを利用したユーザに対応付けて前記再生されたカラオケデータの再生時間を第１の時間として計測し、計測結果を記憶手段に記憶する第１の計測手段と、
前記再生されたカラオケデータの再生終了後に実行される終了処理に要する終了処理時間、及び、前記カラオケデータの再生準備に要する準備時間の少なくともいずれか一方を、当該カラオケデータを利用したユーザ又は当該カラオケデータを選択指示したユーザのいずれか一方のユーザに対応付けて第２の時間として計測し、計測結果を記憶手段に記憶する第２の計測手段と、
前記ユーザ毎に、前記第１の時間と、前記第２の時間と、の和を、占有時間として算出する算出手段と、
前記グループに属する全ユーザによる総占有時間と、前記算出された各ユーザの前記占有時間と、に応じて、前記総占有時間に対する各ユーザの前記占有時間の割合を演算する演算手段と、
前記演算された前記割合に基づき、当該カラオケシステムの前記グループにおける利用料金に対するユーザ毎の負担額を提示する提示手段と、
を具備することを特徴とするカラオケシステム。
【請求項２】
請求項１に記載のカラオケシステムにおいて、
前記第２の計測手段が、
前記カラオケデータの選択操作の開始から前記再生するカラオケデータの確定までの操作時間を少なくとも含む前記準備時間を計測する、カラオケシステム。
【請求項３】
請求項１又は２に記載のカラオケシステムにおいて、
予め複数のカラオケデータが記憶された記憶手段からネットワークを介して前記選択されたカラオケデータを取得する取得手段を更に有し、
前記第２の計測手段が、
前記カラオケデータの取得に要した取得時間を少なくとも含む前記準備時間を計測する、カラオケシステム。
【請求項４】
請求項１〜３のいずれか１項に記載のカラオケシステムにおいて、
前記再生されたカラオケデータに合わせて歌唱したユーザにおける歌唱に対して採点を行う採点手段と、
前記採点の結果を表示手段に表示する表示制御手段と、
を更に有し、
前記第２の計測手段が、
前記採点の結果を得るまでの当該採点に要する採点時間及び当該採点の結果を表示している採点表示時間を少なくとも含む終了後処理時間を計測する、カラオケシステム。
【請求項５】
請求項１〜４のいずれか１項に記載のカラオケシステムにおいて、
前記算出手段が、
前記第１の時間と、前記第２の時間と、に対して、それぞれ異なる重み付け係数を用いることによって、前記ユーザ毎に前記占有時間を算出する、カラオケシステム。
【請求項６】
請求項１〜５のいずれか１項に記載のカラオケシステムにおいて、
前記第２の計測手段が、
異なる時間種別毎に、かつ、前記ユーザ毎に、前記第２の時間を計測し、
前記算出手段が、
前記時間種別毎にそれぞれ異なる重み付け係数を用いることによって、前記ユーザ毎に前記占有時間を算出する、カラオケシステム。
【請求項７】
請求項１〜６のいずれか１項に記載のカラオケシステムにおいて、
前記算出手段が、
再生されたカラオケデータに従って歌唱する前記ユーザの人数に応じて、該当するユーザの前記第１の時間及び前記第２の時間に基づく占有時間を算出する、カラオケシステム。
【請求項８】
請求項１〜７のいずれか１項に記載のカラオケシステムにおいて、
前記ユーザ毎に、前記利用料金に対する寄与度、又は、他のユーザへの寄与度を決定する寄与度決定手段を更に有し、
前記提示手段が、
前記算出された寄与度に応じて前記ユーザ毎の割合又は負担額を提示する、カラオケシステム。
【請求項９】
複数のユーザから構成されるグループによって利用されるカラオケシステムを、
複数のカラオケデータの中から再生する１のカラオケデータを選択するためのユーザの指示入力を受け付ける受付手段、
前記選択されたカラオケデータの再生を制御する再生制御手段、
前記ユーザによって選択されたカラオケデータが再生される毎に、当該カラオケデータを利用したユーザに対応付けて前記再生されたカラオケデータの再生時間を第１の時間として計測し、計測結果を記憶手段に記憶する第１の計測手段、
前記再生されたカラオケデータの再生終了後に実行される終了処理に要する終了処理時間、及び、前記カラオケデータの再生準備に要する準備時間の少なくともいずれか一方を、当該カラオケデータを利用したユーザ又は当該カラオケデータを選択指示したユーザのいずれか一方のユーザに対応付けて第２の時間として計測し、計測結果を記憶手段に記憶する第２の計測手段、
前記ユーザ毎に、前記第１の時間と、前記第２の時間と、の和を、占有時間として算出する算出手段、
前記グループに属する全ユーザによる総占有時間と、前記算出された各ユーザの占有時間と、に応じて、前記総占有時間に対する各ユーザの占有時間の割合を演算する演算手段、及び、
前記演算された前記割合、及び、当該割合に基づき、当該カラオケシステムの前記グループにおける利用料金に対するユーザ毎の負担額の少なくともいずれか一方を提示する提示手段、
として機能させることを特徴とするプログラム。
【発明の詳細な説明】
【技術分野】
【０００１】
本発明は、カラオケ用の楽音を再生し、ユーザにカラオケを実施させるカラオケシステム、及び、プログラムに関する。
【背景技術】
【０００２】
近年、伴奏のみからなる楽曲データ（いわゆる、カラオケ用楽曲データ）に基づいて楽曲を再生し、当該再生された楽曲に併せて、ユーザが歌うカラオケは、娯楽や趣味として認知されている。
【０００３】
また、最近では、複数のユーザからなるグループにてカラオケを行う際に、各ユーザ（すなわち、グループメンバー）間に不公平感を与えることなく、各ユーザにカラオケの利用料金を計算するカラオケシステムも提案されている（例えば、特許文献１）。
【０００４】
具体的には、特許文献１に記載のカラオケシステムは、
（１）ユーザ毎に、当該ユーザの選曲した全ての楽曲（すなわち、当該ユーザの歌唱した全楽曲）の総再生時間を占有時間として集計し、
（２）当該集計したユーザ毎の占有時間数に応じて、利用料金を各ユーザに比例配分することにより、占有時間数に応じて、全利用料金に対する各ユーザの負担割合及び負担料金を演算し、
（３）当該演算によって求められた負担料金をユーザに提示するカラオケシステムが提案されている
【先行技術文献】
【特許文献】
【０００５】
【特許文献１】特開２００９−２１０６５２号公報
【発明の概要】
【発明が解決しようとする課題】
【０００６】
一方、最近のカラオケシステムにおいては、ユーザによる歌唱の終了後に歌唱内容を分析、採点し、当該採点結果をモニタ上に表示させる機能が搭載されているケースが多く、この採点中及び採点結果の表示中は、他のユーザが歌唱することができず、実質的に歌唱ユーザがカラオケシステムを占有している状態になる。
【０００７】
また、歌唱時にモニタ上に表示させる動画像をユーザが選択可能なカラオケシステムの場合には、当該動画像に対応するデータのダウンロード時間を含む再生準備時間中についても歌唱を行えないケースが多い。
【０００８】
このように、最近のカラオケシステムにおいては、各ユーザによる実際の占有時間数は、当該ユーザが、実際に歌唱した全楽曲の総再生時間よりも長くなる可能性が高く、公平な料金負担を決定するためには、これらの時間を含めて、各ユーザによる占有時間を集計し、料金負担を決定する必要がある。
【０００９】
しかしながら、上記特許文献１には、これらの時間を加味した負担率の算出方法に関しては、開示されておらず、ユーザ間における料金負担率を公平に決定する方法としては、不十分である。
【００１０】
本発明は、上記課題を解決するためになされたものであり、その目的は、グループにてカラオケに興じる際に当該グループに属する各ユーザの利用料金負担を公平に決定することが可能なカラオケシステム及びプログラムを提供することにある。
【課題を解決するための手段】
【００１１】
上記課題を解決するため、本発明のカラオケシステムは、複数のユーザから構成されるグループによって利用されるカラオケシステムあって、複数のカラオケデータの中から再生する１のカラオケデータを選択するためのユーザの指示入力を受け付ける受付手段と、前記選択されたカラオケデータを再生する再生手段と、前記ユーザによって選択されたカラオケデータが再生される毎に、当該カラオケデータを利用したユーザに対応付けて前記再生されたカラオケデータの再生時間を第１の時間として計測し、計測結果を記憶手段に記憶する第１の計測手段と、前記再生されたカラオケデータの再生終了後に実行される終了処理に要する終了処理時間、及び、前記カラオケデータの再生準備に要する準備時間の少なくともいずれか一方を、当該カラオケデータを利用したユーザ又は当該カラオケデータを選択指示したユーザのいずれか一方のユーザに対応付けて第２の時間として計測し、計測結果を記憶手段に記憶する第２の計測手段と、前記ユーザ毎に、前記第１の時間と、前記第２の時間と、の和を、占有時間として算出する算出手段と、前記グループに属する全ユーザによる総占有時間と、前記算出された各ユーザの占有時間と、に応じて、前記総占有時間に対する各ユーザの占有時間の割合を演算する演算手段と、前記演算された前記割合、及び、当該割合に基づき、当該カラオケシステムの前記グループにおける利用料金に対するユーザ毎の負担額の少なくともいずれか一方を提示する提示手段と、を具備する構成を有している。
【発明の効果】
【００１２】
本発明は、グループにてカラオケに興じる場合に、各ユーザが歌唱した楽曲の再生時間のみならず、終了処理時間又は準備時間を含む占有時間を算出し、当該算出された占有時間に基づき、各ユーザの負担料金を決定して、ユーザに提示することができる。
【００１３】
したがって、本発明は、グループにてカラオケに興じる際に実際にカラオケシステムを占有した時間を用いて算出することができるので、当該グループに属する各ユーザの利用料金負担を的確に公平に決定することができる。
【図面の簡単な説明】
【００１４】
【図１】本発明に係るカラオケ通信システムにおける一実施形態の構成を示すシステム構成図である。
【図２】一実施形態の記憶装置に設けられるユーザ管理データベースに記憶されるデータの一例を示す図である。
【図３】一実施形態のカラオケシステムの構成を示すブロック図である。
【図４】一実施形態のカラオケシステムに設けられるシステム用データベースに記憶される料金テーブルに格納されるデータ、及び、重み付け係数テーブルに格納されるデータの一例を示す図である。
【図５】一実施形態のカラオケシステムにおいて実行されるメイン処理を示すフローチャートである。
【図６】一実施形態のカラオケシステムにおいて実行される準備処理を示すフローチャートである。
【図７】一実施形態のカラオケシステムにおいて実行される再生処理を示すフローチャートである。
【図８】一実施形態のカラオケシステムにおいて実行される終了後処理を示すフローチャートである。
【図９】一実施形態のカラオケシステムにおいて実行される料金負担演算処理を示すフローチャートである。
【図１０】本発明のカラオケシステムにおいて実行される一部のユーザが存在しなくなった場合にその時点までの料金演算処理を示すフローチャートである。
【図１１】本発明の変形例５の記憶装置に設けられるユーザ管理データベースに記憶されるデータの一例を示す図である
【発明を実施するための形態】
【００１５】
以下、本発明に係る実施形態について、図面を参照しながら説明する。なお、以下の実施形態は、カラオケ用の楽曲データや歌詞データなどを含むカラオケデータを再生するカラオケシステムを有するカラオケ通信システムに対して本願のカラオケシステムなどを適用した場合の実施形態である。
【００１６】
［１］カラオケ通信システムの概要
まず、図１及び２を用いて本実施形態のカラオケ通信システム１の概要について説明する。
【００１７】
なお、図１は、本実施形態におけるカラオケ通信システム１の構成を示すシステム構成図であり、図２は、ユーザ管理データベース４０１に記憶されるデータの一例を示す図である。
【００１８】
また、図が煩雑になることを防止するために、図１及び図２においては、一部のユーザ及び一部の遊興施設（以下、「店舗」という。）のみを示している。すなわち、実際のカラオケ通信システム１においては、表示するよりも多数のカラオケシステム１０、ユーザ、及び、リモコン装置２０が存在している。
【００１９】
本実施形態のカラオケ通信システム１は、店舗の各部屋（すなわち、カラオケボックス）５０に設置されるカラオケシステム１０と、ネットワークＮに接続される管理サーバ装置３０と、ネットワークＮに接続された記憶装置４０と、を有している。
【００２０】
また、本実施形態のカラオケ通信システム１は、カラオケに関する各種のサービス（以下、まとめて「カラオケ提供サービス」ともいう。）を予め登録された会員又は非会員を提供するとともに、会員向けのサービスについてはカラオケ提供サービスにログインしていることを前提に提供する構成を有している。
【００２１】
特に、本実施形態のカラオケ通信システム１は、複数のユーザから構成されるグループによってカラオケシステム１０が利用される際に当該利用料金（すなわち、カラオケ利用料金）について各人の負担割合を算出して情報として提供するサービスを提供するようになっている。
【００２２】
なお、図１においては、カラオケシステム１０が、記憶装置４０内の各データベース（以下、データベースを「ＤＢ」という。）に対して、直接アクセス可能であって、記憶装置４０をネットワークＮに直接接続されているが、記憶装置４０は、管理サーバ装置３０内に搭載されてもよい。
【００２３】
また、記憶装置４０の管理運営主体は、専用のコンピュータを設けるようにしてもよいが、本実施形態においては、説明を具体化するため、管理サーバ装置３０によって管理運用されるものとして説明を行う。
【００２４】
［１．１］カラオケ通信システムの各機能
本実施形態のカラオケ通信システム１は、上記の構成を有し、かつ、各種の処理を実行することにより、大別して以下の機能を実現する。
【００２５】
［カラオケ機能］
本機能は、カラオケシステム１０と、管理サーバ装置３０と、記憶装置４０と、が連動することによって実現される機能であって、カラオケボックス５０等の店舗内に設置されたカラオケシステム１０を用いつつ、単独のユーザ又は複数のユーザにより構成されるグループが、カラオケに興ずるための機能である。
【００２６】
特に、本機能では、
（１）ユーザがリモコン装置２０を用いて、選曲した楽曲のカラオケデータを取得（ダウンロードを含む）する機能、
（２）ユーザが歌唱可能に当該カラオケデータを再生する機能、
（３）カラオケデータに含まれる歌詞のデータに基づき、カラオケシステム１０の後述する表示部１１５に歌詞を表示させる機能、及び
（４）当該再生したカラオケデータに合わせて歌唱する歌唱ユーザの歌唱音声をマイクＭにより集音して拡声する機能、
が実現される。
【００２７】
［歌唱音声採点機能］
本機能は、カラオケシステム１０を用いて歌唱した、ユーザの歌唱音声を、歌唱楽曲のカラオケ用楽曲データと比較することにより分析し、歌唱音声の音程とガイドメロディの音程とのずれを分析する他に、例えば、「しゃくり」を含む歌唱音声の節回し、ビブラート、歌唱音声の安定感（具体的には、同じ音程の音を安定して伸ばせるか等）、及び、歌唱音声の抑揚等を分析して採点し、当該採点結果をカラオケシステム１０の表示部１１５に表示させる機能である。
【００２８】
また、本機能による採点中及び採点結果の表示中においては、次のカラオケデータの再生がなされず、当該表示の終了後、次のカラオケデータが再生されるようになっている。
【００２９】
［歌唱時画像変更機能］
本機能は、カラオケシステム１０と、管理サーバ装置３０と、記憶装置４０と、が連動することによって実現する機能であり、カラオケデータの再生時に（すなわち、歌唱時に）カラオケシステム１０の表示部１１５に表示させる歌詞の背景画像をユーザの選択に基づき、変更する機能である。
【００３０】
本機能においては、
（１）リモコン装置２０に対して、ユーザが行った指示入力に基づき、カラオケデータの再生開始前に記憶装置４０（具体的には、後述の画像ＤＢ４０３）から、当該選択された画像データを取得する機能と、
（２）当該画像データをカラオケデータの再生に合わせて、歌詞の背景画像として表示させることにより、表示部１１５上に画像データに対応する背景画像及び歌詞を表示させる機能と、
が実現される。
【００３１】
また、画像データの内容は、任意であり、例えば、選曲した楽曲の原曲を歌唱している歌手の歌唱状態を撮像した動画像などであってもよく、同一の楽曲を過去に歌唱した他のユーザの歌唱状態を撮像した画像（以下、「歌唱者関連画像」という。）であってもよい。なお、この歌唱者関連画像の利用については、変形例として後述する。
【００３２】
さらに、画像データの選択取得タイミングについては、カラオケデータの再生開始前であればよく、カラオケデータの選曲前であってもよい。ただし、以下の説明では、本実施形態においては、カラオケデータの選曲後に、管理サーバ装置３０からダウンロード可能な画像データの一覧に対応するデータ（以下、「一覧データ」という。）を取得し、当該一覧データに基づいて、ユーザ選択した画像データを、記憶装置４０から取得するものとして説明を行う。
【００３３】
なお、一覧データには、ユーザの選択可能な各画像データを識別するための画像ＩＤと、画像データに含まれるいずれかのフレーム画像であってサムネイル画像として用いされる画像データと、画像ジャンルデータ、画像タイトルデータ、画像に関する説明文等に対応するテキストデータと、が含まれる。
【００３４】
また、上記歌唱時画像変更機能の利用に際しては、この一覧データに基づき、ユーザが選択可能な画像の一覧が、一覧データを用いて画像又は文字列として表示されるとともに、ユーザの選択した画像の画像ＩＤにより、ダウンロードすべき画像データが特定される。
【００３５】
［カラオケ利用料金算出機能］
本機能は、カラオケシステム１０の機能であって、単独のユーザ、又は、グループが、店舗にあるカラオケボックス５０等にて、カラオケに興じた際に発生するカラオケボックス５０の全利用料金を算出する機能である。
【００３６】
特に、本機能は、単独のユーザ、又は、グループがカラオケボックス５０に入室した日時から料金計算指示を受け付けるまでの経過時間（すなわち、利用時間数）と、単位時間（例えば１時間）当たりの利用料金と、に基づいて、全利用料金を決定する機能である。
【００３７】
例えば、利用料金が、「１人当たり１時間の利用で５００円」である場合において、Ａ、Ｂ、Ｃの３人のユーザからなるグループが、３時間カラオケボックス５０を利用した場合には、本機能により、「全利用料金＝４５００円」と算出される。
【００３８】
［ユーザ負担料金演算機能］
本機能は、カラオケシステム１０の機能であって、グループにてカラオケに興じる際に、各ユーザが、負担すべき料金（以下、「負担料金」という。）を演算する機能である。
【００３９】
特に、本機能においては、グループに属する各ユーザ間において、利用料金の負担に不公平が生じないように、各ユーザがカラオケ通信システム１を占有した時間（以下、「占有時間」という。）に基づき、各ユーザの負担料金を決定するようになっている。
【００４０】
［１．２］本実施形態におけるユーザ負担料金演算機能の原理
本実施形態のカラオケ通信システム１は、複数のユーザから構成されるグループでカラオケに興じる場合に、上記ユーザ負担料金演算機能により、各ユーザの負担料金を決定し、各ユーザ間の利用料金の負担の公平性を確保することが可能な構成を有している。
【００４１】
通常、グループにてカラオケに興ずる場合には、ユーザ毎に歌唱する楽曲数が異なる場合が多い。特に、利用時間が長くなった場合、食事のタイミングを含む場合、アルコール類が提供されている場合には、ユーザ毎に歌唱する楽曲数が異なる場合が多い。
【００４２】
例えば、ユーザＡ、Ｂ、Ｃの３人から構成されるグループにて、３時間、カラオケに興じた場合において、ユーザＡが、１４曲、ユーザＢが、７曲、ユーザＣが、１２曲、それぞれ、歌唱した場合には、ユーザＡ、ユーザＣ、ユーザＢの順にカラオケシステム１０を占有（利用）している時間が長くなる。
【００４３】
この場合において、各楽曲の再生時間が同一であると仮定すると、ユーザＢは、ユーザＡの半分の時間しか、カラオケ通信システム１を占有していないことになり、カラオケの利用料金を均等に頭割りした場合には、ユーザ間の料金負担に不公平が生じる可能性がある。
【００４４】
また、上記に加えて、本実施形態のカラオケシステム１０においては、歌唱音声採点機能により採点を行っている期間及び採点結果が表示されている期間中は、次のカラオケデータの再生が開始されないため、実質、前の楽曲を歌唱したユーザ（すなわち、分析結果に対応する楽曲を歌唱したユーザ）がカラオケ通信システム１を占有していることになる。
【００４５】
そして、歌唱時画像変更機能により、画像データを取得している時間についても、他のユーザが、カラオケ通信システム１を利用することができず、実質、画像データの取得を指示したユーザ（すなわち、これから歌唱しようとしているユーザ）がカラオケ通信システム１を占有している状態になる。
【００４６】
さらに、楽曲の選択、又は、画像の選択のため、ユーザがリモコン装置２０を占有している場合には、他のユーザがリモコン装置２０を利用することができないため、当該占有期間を考慮して、各ユーザによる、占有時間数を決定する必要がある。
【００４７】
そこで、本実施形態のカラオケ通信システム１は、各ユーザが、カラオケ通信システム１を実際に占有した占有時間数を算出するとともに、当該算出した占有時間数に応じて、各ユーザの負担料金を決定してユーザに提示することにより、全グループメンバーにとって公平な負担料金を提示することができるようになっている。
【００４８】
具体的には、本実施形態においては、カラオケデータの第１の時間として再生時間（すなわち、再生時間）の他に、
（１）終了後処理の時間として、採点に要する時間及び採点結果の表示時間（以下、これらの和を「採点時間」という。）と、
（２）準備時間として、ユーザが、リモコン装置２０の操作を行うために要した時間（すなわち、リモコン利用時間）、及び、カラオケデータ及び画像データの取得に要した時間（以下、「ダウンロード時間」という。）と、
を、第２の時間の占有時間に含めている。
【００４９】
一方、上記各時間種別は、それぞれ、異なる性質を有するものであるため、カラオケシステム１０の占有時間の観点では、ユーザにとっての重要度が異なっている。
【００５０】
例えば、再生時間は、ユーザ自身が歌唱している状態にあるため、ユーザにとっての重要度が最も高くなるとともに、採点時間についても、ユーザは、自身の意図に基づき操作を行い、又は、採点結果を確認しているため、重要度が高くなると想定できる。
【００５１】
これに対して、リモコン利用時間及び画像取得時間は、カラオケシステム１０における負荷を与えることがあるものの、他のユーザの再生時間や採点時間には影響を与えず、占有に関する重要度は低くなる。
【００５２】
このため、本実施形態のカラオケシステム１０は、再生時間とともに、上記（１）及び（２）の第２の時間をそれぞれ計測した計測結果に対して、異なる係数による重み付けを行いつつ、各ユーザによる占有時間数を算出する構成を有している。
【００５３】
そして、本実施形態のカラオケシステム１０は、このようにして算出した全グループメンバーに対応する占有時間数の和（以下、「総占有時間数」という。）に対して、各ユーザの占有時間数が占める割合を演算するとともに、当該演算によって求められた割合に応じて、各ユーザの負担料金を決定する個性を有している。
【００５４】
この構成により、本実施形態のカラオケ通信システム１は、各時間の重要度を加味しつつ、各ユーザの占有時間を算出することができるので、各ユーザの負担料金を的確に決定することができるようになっている。
【００５５】
なお、各ユーザの占有時間数は、重み付け後に算出されるものであるため、総占有時間数は、利用時間数と、必ずしも一致せず、例えば、利用時間数が、３時間であっても、総占有時間数は、数％〜数十％程度のずれた値となる可能性がある。
【００５６】
しかしながら、本実施形態においては、総占有時間数に対する各ユーザの占有時間数の割合に基づいて、負担料金を求める構成になっているため、利用時間数と総占有時間数が一致しない場合であっても、各ユーザの負担料金を的確に決定することができるようになっている。
【００５７】
例えば、上記Ａ、Ｂ、Ｃからなるグループが、３時間カラオケボックス５０を利用し、カラオケの全利用料金が、「４５００円」、総占有時間数が、「３時間１０分（１９０分）」である場合を想定する。
【００５８】
また、この場合において、
（１）ユーザＡの占有時間数が、「１時間３０分（９０分）」、
（２）ユーザＢの占有時間数が「４５分」、及び、
（３）ユーザＣの占有時間数が、「５５分」、
を想定する。
【００５９】
このような場合においては、ユーザＡの占有時間数が総占有時間数に占める割合が、「約４７．３７％」、ユーザＢの割合が、「約２３．６８％」、ユーザＣの割合が、「約２８．９５％」となるため、ユーザＡの負担料金が、「約２１３２円」、ユーザＢの負担料金が、「約１０６６円」、ユーザＣの負担料金が「約１３０２円」と決定されることになる。
【００６０】
この構成により、本実施形態のカラオケシステム１０は、グループにてカラオケに興じる場合に、各ユーザが、カラオケ通信システム１を実際に占有した時間に応じて、各ユーザの負担料金を決定できるので、各ユーザの料金的な負担を公平化することができるようになっている。
【００６１】
［１．３］カラオケ通信システムの各部の概略構成
カラオケシステム１０は、例えば、カラオケボックス５０内に設置され、上記の各機能を実現するための装置である。
【００６２】
特に、カラオケシステム１０は、管理サーバ装置３０と連動して、記憶装置４０から選曲された楽曲のカラオケデータを取得するとともに、ユーザによる指示に基づいて所定の画像データを取得し、カラオケデータ及び画像データを再生し、楽曲の音を出力しつつ、当該楽曲の歌詞と当該取得した画像データが示す背景画像とを表示する構成を有している。
【００６３】
リモコン装置２０は、カラオケシステム１０の一部を構成するリモコン装置であり、
（１）液晶素子等により構成される表示部と、
（２）当該表示部上に設けられたタッチパネル、又は、表示部外に設けられたテンキー、ＱＷＥＲＴＹキー等からなる入力操作部と、
（３）ＩｒＤＡ（Ｉｎｆｒａｒｅｄ  ｄａｔａ  Ａｓｓｏｃｉａｔｉｏｎ）等の赤外線通信用の赤外線ポート、無線ＬＡＮ（ローカルエリアネットワーク）、ｂｌｕｅｔｏｏｔｈ（登録商標）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  ａｎｄ  Ｅｌｅｃｔｒｏｎｉｃｓ  Ｅｎｇｉｎｅｅｒｓ）８０２．１５．４、等の近距離無線通信インターフェースと、
を有している。
【００６４】
そして、リモコン装置２０は、ユーザの指示入力を受け付け、当該指示入力に従い、楽曲の選曲を行うための選曲番号などを、カラオケシステム１０に送信する。
【００６５】
特に、リモコン装置２０は、カラオケ提供サービスにログインすることを前提に、選曲操作を含む各操作を実行可能になっており、当該カラオケ提供サービスにログインしていないユーザをゲストログインユーザとして各操作を受け付ける。
【００６６】
また、リモコン装置２０は、楽曲を選曲する際に、楽曲ジャンル、楽曲タイトル又はアーティストなどを指定しつつ、容易にユーザが希望する楽曲を選曲することが可能な構成を有している。
【００６７】
例えば、リモコン装置２０は、カラオケシステム１０により歌唱可能な複数のカラオケデータの各々を識別するための選曲番号、楽曲ジャンルデータ、アーティスト名データ（歌手名）、及び楽曲タイトルデータ、を対応付けた選曲用データ、又は、当該選曲用データを有するアプリケーションに基づいて、ネットワークＮ及びカラオケシステム１０を介して管理サーバ装置３０から予めダウンロードするようになっている。
【００６８】
さらに、リモコン装置２０は、上記歌唱時画像変更機能により楽曲の歌唱時に歌詞とともに表示させる背景画像（例えば、後述のコラボレーション画像）を変更する場合には、選択可能な画像の一覧をサムネイル形式等により表示して、又は、画像タイトル一覧を表示して指定された画像を示す画像データをカラオケシステム１０に取得させるための構成を有している。
【００６９】
例えば、リモコン装置２０は、管理サーバ装置３０から取得した一覧データをカラオケシステム１０から取得して、選択可能な画像の一覧をサムネイル形式等により表示し、又は、画像タイトル一覧として表示するようになっており、ユーザによって１の画像が選択されると、当該画像に対応する画像ＩＤをカラオケシステム１０に送信し、当該カラオケシステム１０に画像データを取得させるようになっている。
【００７０】
管理サーバ装置３０は、記憶装置４０を管理し、カラオケ通信システム１にてユーザに提供される各種サービスを管理する構成を有している。
【００７１】
特に、管理サーバ装置３０は、
（１）記憶装置４０に記憶された各種データを管理し、
（２）カラオケシステム１０から選曲番号含むリクエストを受信すると、当該選曲番号に対応するカラオケデータを記憶装置４０から読み出し、該当するカラオケシステム１０に配信し、
（３）画像ＩＤを含むリクエストを受信すると、当該画像ＩＤに対応する画像データを記憶装置４０から読み出して、該当するカラオケシステム１０に配信する、
構成を有している。
【００７２】
記憶装置４０は、ＨＤＤ（ハードディスクドライブ）、ＳＳＤ（ソリッドステートドライブ）、等により構成され、その記憶領域内に、ユーザ管理ＤＢ４０１と、、カラオケデータ用ＤＢ４０２と、画像ＤＢ４０３と、が構築され、管理サーバ装置３０により管理運用されるようになっている。
【００７３】
ユーザ管理ＤＢ４０１は、各ユーザを管理するための情報（以下、「ユーザ情報」という。）がデータとして記憶されるＤＢである。具体的には、ユーザ管理ＤＢ４０１には、図２に示すように、各ユーザを識別するためのユーザＩＤと、氏名、住所、アカウント名、パスワード、性別、年齢、メールアドレスを含むユーザ情報が対応付けて記憶される。
【００７４】
なお、この各ユーザ情報は、カラオケ通信システム１のユーザを管理するために用いられ、ユーザが、楽曲の歌唱に先立って、カラオケ通信システム１にログインするために用いられる。
【００７５】
さらに、ユーザ管理ＤＢ４０１には、必要に応じて、ユーザの所有するサービスチケット等に関するデータも記憶することができる。なお、この点については変形例として後述する。
【００７６】
カラオケデータ用ＤＢ４０２は、「邦楽」、「ＪＰＯＰ」、「ロック」等、カラオケデータの階層的な楽曲ジャンルを示すジャンルデータと、各カラオケデータを識別するための選曲番号と、楽曲タイトルを示す楽曲タイトルデータと、が対応付けされた複数のカラオケデータが記憶される。
【００７７】
また、カラオケデータには、カラオケ用の楽曲データと、カラオケデータの再生中に楽曲データの再生に同期して表示させる歌詞データと、当該歌詞データの表示制御を行う制御データと、などが含まれる。
【００７８】
さらに、カラオケ用の楽曲データには、複数の楽器の演奏音を再生制御するためのＭＩＤＩ（Ｍｕｓｉｃａｌ  Ｉｎｓｔｒｕｍｅｎｔ  Ｄｉｇｉｔａｌ  Ｉｎｔｅｒｆａｃｅ）データ、Ａメロ、Ｂメロ、サビなど楽曲の構成を示す楽曲構成データ、歌パートの基準音（キー）の音高を示す音高データ、及びメロディをガイドするためのガイドメロディデータなどが含まれる。
【００７９】
なお、後述するように、一部のカラオケデータは、カラオケシステム１０に記憶されている。
【００８０】
画像ＤＢ４０３は、上記歌唱時画像変更機能によって、選曲可能な背景画像を示す画像データを管理するためのＤＢであり、各画像データに対応する画像ＩＤと画像データ本体と、が対応付けて記憶される。
【００８１】
［２］カラオケシステム
次に、図３及び４を用いて本実施形態のカラオケシステム１０の構成及びその動作について説明する。
なお、図３は、本実施形態におけるカラオケシステム１０の構成を示す構成図であり、図４は、システム用ＤＢ１１９に記憶される料金テーブルに格納されるデータ及び重み付け計数テーブルに格納されるデータの一例を示す図である。
【００８２】
本実施形態のカラオケシステム１０は、図３に示すように、ネットワークＮを介して管理サーバ装置３０からカラオケデータ及び画像データを取得するための通信を行う通信制御部１１１と、マイクＭから出力された音声信号に対して所定の処理を行うことによって音声データを生成する音声入力処理部１１２と、カラオケデータに含まれる楽曲データを再生するカラオケ再生部１１３と、再生された楽曲データに対応する楽音をスピーカＳＰに拡声させる拡声処理部１１４と、歌唱者や聴取者を撮像するためのカメラＣと、を備えている。
【００８３】
また、カラオケシステム１０は、表示部１１５と、表示部１１５を制御する表示制御部１１６と、赤外線、又は、近距離無線によって、リモコン装置２０と通信を行う近距離無線通信部１１７と、各部を統合的に制御するシステム制御部１１８と、上記各機能を実現するためのデータが記憶されるシステム用ＤＢ１１９と、現在日時を特定し、又は、ストップウォッチとして機能するタイマ１２０と、ＲＯＭ／ＲＡＭ１２１と、上記各機能を実現するための処理を実行するデータ処理部１３０と、を備えている。
【００８４】
そして、カラオケシステム１０は、システム制御部１１８を中心にバスや所定の伝送ラインによって接続されている。
【００８５】
なお、例えば、本実施形態のカラオケ再生部１１３は、本発明の「再生手段」を、拡声処理部１１４及びスピーカＳＰは、本発明の「出力手段」を構成する。また、例えば、本実施形態の表示制御部１１６は、システム制御部１１８及びデータ処理部１３０と連動して、本発明の「表示制御手段」を構成し、近距離無線通信部１１７は、リモコン装置２０と連動することにより、本発明の「受付手段」を構成する。
【００８６】
通信制御部１１１は、システム制御部１１８の制御の下、ネットワークＮを介して管理サーバ装置３０と通信チャネルを構築し、各種データの授受を行う。
【００８７】
特に、通信制御部１１１は、システム制御部１１８及びデータ処理部１３０の制御の下、
（１）近距離無線通信部１１７を介してリモコン装置２０からユーザによる選曲指示（選曲番号を含む。）、画像取得指示（画像ＩＤ含む。）又はその双方を受け付けると、
（２）選曲番号に基づいて、管理サーバ装置３０からカラオケデータを取得し、又は、システム用ＤＢ１１９から読み出し、
（３）所定の再生タイミングに、取得又は読み出したカラオケ再生部１１３にカラオケデータに含まれる楽曲データ及び歌詞データを供給し、
（４）管理サーバ装置３０から背景画像として取得した画像データを、カラオケ再生部１１３を介して表示部１１５に供給する。
【００８８】
なお、選曲指示を受信した際に、既に選曲されたカラオケデータが設定されている場合（すなわち、選曲予約の場合）には、再生タイミングまで、取得したカラオケデータをＲＯＭ／ＲＡＭ１２１に記憶しておく。
【００８９】
カラオケ再生部１１３は、ＭＩＤＩ音源を有し、システム制御部１１８の制御の下、管理サーバ装置３０を介して記憶装置４０から取得（ダウンロード）されたカラオケデータに含まれる楽曲データに基づいてＭＩＤＩ音源を制御する再生処理を行うようになっている。
【００９０】
そして、カラオケ再生部１１３は、再生処理によって生成された楽音データを拡声処理部１１４に出力し、かつ、楽曲の再生と同期させつつ、表示制御部１１６に背景画像データとともに歌詞データを出力する。
【００９１】
拡声処理部１１４は、システム制御部１１８の制御の下、カラオケ再生部１１３から出力された楽音データをアナログ形式のオーディオ信号に変換する処理及び変換されたオーディオ信号を所定のレベルに増幅してスピーカＳＰに出力する処理を行う。
【００９２】
なお、スピーカＳＰは、カラオケシステム１０が設けられた設置場所によって適したシステムによって構成されている。また、拡声処理部１１４にて、残響処理等の各種信号処理を施し、当該信号処理後のオーディオ信号をスピーカＳＰから出力させる構成としてもよい。
【００９３】
カメラＣは、光電変換する撮像素子（以下、「ＣＣＤ」という）と、当該ＣＣＤを格納する筐体及び撮像レンズなどのカメラ機構と、を備え、カラオケ中にＣＣＤに形成された対象物の影像をフレーム毎に所定の画像データに変換し、データ処理部１３０に出力するようになっている。また、カメラＣは、システム制御部１１８によって撮像開始、終了などの各種の動作が制御される。
【００９４】
なお、カメラＣは、カラオケシステム１０内に組み込むようにしてもよく、対象物を最も好適に撮像可能な場所に設置された別体のカメラＣをＨＤＭＩ（登録商標：Ｈｉｇｈ−Ｄｅｆｉｎｉｔｉｏｎ  Ｍｕｌｔｉｍｅｄｉａ  Ｉｎｔｅｒｆａｃｅ）等のインターフェースを介して接続するようにしてもよい。
【００９５】
表示部１１５は、例えば、有機ＥＬ（Ｅｌｅｃｔｒｏ−Ｌｕｍｉｎｅｓｃｅｎｃｅ）素子、液晶表示素子またはＣＲＴ（Ｃａｔｈｏｄｅ  Ｒａｙ  Ｔｕｂｅ）によって構成され、表示制御部１１６の制御に従って所定の画像を表示する。
【００９６】
具体的には、表示部１１５は、画像データ及び歌詞データに基づいて背景画像と歌詞が重畳された画像を表示する。すなわち、表示部１１５は、再生される楽曲データに同期させて歌詞及び背景画像を表示する。
【００９７】
また、表示部１１５は、上記歌唱音声採点機能により得られた採点結果を表示するとともに、上記カラオケ利用料金算出機能により算出された利用料金と、ユーザ負担料金演算機能により演算された各ユーザの負担料金と、を表示する。
【００９８】
表示制御部１１６は、システム制御部１１８及びデータ処理部１３０の制御の下、画像データ及び歌詞データに基づく表示処理を実行し、歌詞と画像が重畳された画像を表示するための表示用データを生成して表示部１１５に出力するとともに、採点結果の画像及び利用料金及び負担料金に関する画像を表示するための表示用データを生成して、表示部１１５に出力する。
【００９９】
近距離無線通信部１１７は、赤外線受光部、又は、所定の通信規格に従ったアンテナを有し、ＩｒＤＡ等の赤外線通信、又は、ｂｌｕｅｔｏｏｔｈ（登録商標），ＩＥＥＥ８０２．１５．４、無線ＬＡＮ等の近距離無線通信規格に従い、リモコン装置２０とデータの授受を行う。
【０１００】
例えば、近距離無線通信部１１７は、リモコン装置２０を用いたユーザの指示入力を受け付け、受け付けた指示に対応する命令コマンドをバスに出力するとともに、データ処理部１３０による制御の下、選択候補となる画像データに対応する一覧データをリモコン装置２０に供給する。
【０１０１】
システム制御部１１８は、主に図示せぬ中央演算処理装置（ＣＰＵ）、キャッシュメモリ、及びＲＡＭによって構成され各部を統合的に制御する。また、システム制御部１１８は、各部と連動しつつ、前記各機能を実現するための処理を実行する。
【０１０２】
システム用ＤＢ１１９には、図４（Ａ）及び（Ｂ）に示すように、
（１）料金テーブルＴＢＬ１と、
（２）重み付け係数テーブルＴＢＬ２と、
（３）カラオケデータと、
（４）各機能を実現するための処理を実行する際に利用されるプログラムと、
が記憶される。
【０１０３】
料金テーブルＴＢＬ１は、上記カラオケ利用料金算出機能を実現するため情報がデータとして格納されるテーブルデータである。そして、料金テーブルＴＢＬ１には、図４（Ａ）に示すように、時間帯毎に、カラオケの利用に対して課される利用料金の情報が格納される。
【０１０４】
例えば、図４（Ａ）には、「４：００〜９：００」の時間帯は、「利用者１人当たり１時間、４５０円」、「９：００〜１７：００」の時間帯は、「利用者１人当たり１時間、４００円」、「１７：００〜２０：００」の時間帯は、「利用者１人当たり１時間、７００円」、「２０：００〜４：００」の時間帯は、「利用者１人当たり１時間、８００円」に利用料金が設定されている場合のデータ格納例が示されている。
【０１０５】
重み付け係数テーブルＴＢＬ２は、上記ユーザ負担料金演算機能により、各ユーザの占有時間を算出する際に用いる係数が格納されているテーブルデータである、そして、重み付け係数テーブルＴＢＬ２には、図４（Ｂ）に示すように、
（１）再生時間と、
（２）採点時間と、
（３）ダウンロード時間と、
（４）リモコン装置の利用時間と、
のそれぞれに乗算すべき係数が格納される。
【０１０６】
例えば、図４（Ｂ）には、これら（１）〜（４）の計測時間の各々に対して、「１」、「０．７」、「０．２」、「０．８」の係数を乗算しつつ、各時間の和をとって、各ユーザによる占有時間数を算出する場合の係数格納例が示されている。
【０１０７】
なお、この重み付け係数は、予めカラオケボックス５０の運営者側で、決定しておくようにしてもよく、グループメンバーが、必要に応じて変更できるようにしてもよい。この場合には、リモコン装置２０に、例えば、「重み付けの係数を入力してください」等の文字列を表示させ、ユーザに各時間に対して乗算する係数を入力させるようにしてもよい。
【０１０８】
タイマ１２０は、制御部１８０及びデータ処理部１３０の制御の下、所定のタイミングからの経過時間を計測する計測機能と日付けも含めて現在時刻を出力する機能とを有している。
【０１０９】
ＲＯＭ／ＲＡＭ１２１は、カラオケシステム１０を駆動させるためのアプリケーションデータの他に、ダウンロードされたカラオケデータやワークメモリとして必要なデータが記憶される。
【０１１０】
データ処理部１３０は、システム制御部１１８と同一、又は、独立したＣＰＵ及びメモリにより構成され、アプリケーションを実行することにより、データ取得部１３１と、ログイン管理部１３２と、採点処理部１３３と、画像解析部１３４と、占有時間計測部１３５と、占有時間算出部１３６と、料金決定部１３７と、を実現する。
【０１１１】
なお、例えば、本実施形態のデータ取得部１３１は、近距離無線通信部１１７と連動して、本発明の「受付手段」を構成し、占有時間計測部１３５は、タイマ１２０と連動して、「第１の計測手段」及び「第２の計測手段」を構成するとともに、占有時間算出部１３６は、「算出手段」及び「演算手段」を構成し、料金決定部１３７は、表示制御部１１６及び表示部１１５と連動して「決定手段」及び「提示手段」を構成する。
【０１１２】
データ取得部１３１は、近距離無線通信部１１７により、リモコン装置２０から、選曲番号又は画像ＩＤが受信されると、当該選曲番号又は画像ＩＤを含むリクエストを、通信制御部１１１を介して管理サーバ装置３０に送信する。
【０１１３】
そして、データ取得部１３１は、対応するカラオケデータ又は画像データを取得し、取得した各データをＲＯＭ／ＲＡＭ１２１に記憶させ、及び、再生タイミングでカラオケ再生部１１３に供給する。
【０１１４】
ログイン管理部１３２は、カラオケ提供サービスにログインしているユーザを管理しつつ、リモコン装置２０を操作しているユーザ、歌唱しているユーザ、選曲したユーザ、及び、採点中のユーザなどカラオケシステム１０の機能を使用しているユーザを特定してその情報（以下、「ログイン情報」という。）を管理する。
【０１１５】
また、ログイン管理部１３２は、カラオケ提供サービスにログインしていないユーザについては、非ログインユーザ（すなわち、ゲストログインしているユーザ）として上記のカラオケシステム１０の機能を使用している状態を管理する。
【０１１６】
採点処理部１３３は、マイクＭによって集音され、音声入力処理部１１２によって生成された歌唱音声に対応する音声データを、カラオケデータに含まれる音高データ及びガイドメロディデータと比較することにより、歌唱音声を分析、採点するとともに、採点結果に対応する画像データを生成して、表示制御部１１６に出力する。
【０１１７】
画像解析部１３４は、カメラＣによって生成された撮像画像に対応する撮像画像データを取得して、当該撮像画像に画像解析を実行し、ユーザ及びその人数を特定する。特に、画像解析部１３４は、選曲等に先立ってカラオケ提供サービスにログインしていないユーザ（すなわち、ゲストログインしているユーザ）を画像解析を実行することによって特定し、歌唱の有無及びその人数と、リモコン装置２０の使用の有無とを特定する。
【０１１８】
具体的には、画像解析部１３４は、ログイン管理部１３２と連動し、撮像画像データに対して、顔認識処理を実行すすることにより、当該撮像画像に画像化されたユーザを認識し、歌唱ユーザ及びリモコン装置２０を利用しているユーザ及びその人数を特定する。
【０１１９】
すなわち、画像解析部１３４は、ゲストログインしているユーザであってリモコン装置ＲＣを操作しているユーザ、歌唱しているユーザ（採点機能を使用しているユーザを含む）及び選曲を行ったユーザを特定する。
【０１２０】
例えば、画像解析部１３４は、撮像画像に顔認識用のマスクを施し、マスクされた領域（顔領域）内おける各ユーザの顔の特徴点（目、鼻、口等の部位毎の特徴点）を特定し、ログイン情報に基づいて歌唱ユーザ、リモコン装置２０を利用しているユーザ及び選曲をしたユーザと、歌唱しているユーザについてはその人数を特定する。
【０１２１】
また、画像解析部１３４は、グループが、カラオケボックス５０に入室した際に、（１）入室したグループメンバー全員の顔認識処理を実行し、
（２）カラオケシステム１０の利用中にログイン情報に応じてログインユーザを除いたゲストログインユーザを特定し、
（３）各ユーザに所定の識別情報を割り当て、
（４）当該識別情報と、顔の特徴点に関するデータ（以下、「特徴点データ」という。）と、を対応付けてＲＯＭ／ＲＡＭ１２１に記憶する。
【０１２２】
なお、この識別情報は、ログインユーザにおいてはユーザＩＤと同一のものであってもよく、ユーザＩＤとは異なるものであってもよい。
【０１２３】
そして、画像解析部１３４は、ゲストログインユーザがリモコン操作、選曲、歌唱及び採点を実行している際に、ワークメモリに記憶された特徴点データと、歌唱ユーザ、又は、リモコン装置２０を利用しているユーザの顔の特徴点を比較することにより、歌唱ユーザ等を特定する。
【０１２４】
なお、顔認識及び人物認識の方法自体は従来と同様であるため、詳細は、省略する。
【０１２５】
占有時間計測部１３５は、上記ユーザ負担料金演算機能を実現するため、タイマ１２０と連動して、歌唱ユーザ又はリモコン装置２０を利用しているユーザの上記段落「０１０５」の（１）〜（４）の時間を計測し、当該ユーザのユーザＩＤ又は上記識別情報と対応付けつつ、ＲＯＭ／ＲＡＭ１２１に記憶させる。
【０１２６】
占有時間算出部１３６は、占有時間計測部１３５によって計測され、ＲＯＭ／ＲＡＭ１２１に記憶された上記（１）〜（４）の計測時間のそれぞれに対して、対応する重み付け係数テーブルＴＢＬ２に記憶された係数を乗算し、当該乗算後の計測時間の和を対応するユーザの占有時間数として算出する。
【０１２７】
具体的には、占有時間算出部１３６は、上記図４（Ｂ）の係数が重み付け係数テーブルＴＢＬ２に記憶されている場合には、占有時間数を、（再生時間×１）＋（採点時間×０．７）＋（ダウンロード時間×０．２）＋（リモコン装置２０利用時間×０．８）の演算を実行して算出する。
【０１２８】
なお、実際にグループにてカラオケを行う場合には、複数のユーザがデュエットし、又は、１のユーザの歌唱中に他のユーザが、割り込む場合があり、この場合には、１人のユーザの占有時間とは言えなくなるので、占有時間数を調整する必要があるが、この場合の例については、変形例として後述する。
【０１２９】
料金決定部１３７は、上記カラオケ利用料金算出機能として、近距離無線通信部１１７を介してリモコン装置２０に対して実行された料金計算を指示する旨の入力操作を検出すると、料金テーブルＴＢＬ１に格納された単位時間当たりの利用料金と、グループによるカラオケボックス５０の利用時間数と、に基づき、カラオケの利用料金を算出する。
【０１３０】
例えば、図４（Ａ）に示す利用料金の設定の場合であって、Ａ、Ｂ及びＣの３人からなるグループが、「１９：３０」にカラオケボックス５０に入室し、「２３：００」まで、カラオケに興じた場合には、料金決定部１３７は、（（０．５時間×７００円）×３人）＋（（３時間×８００円）×３人）として、全利用料金＝「８２５０円」と算出する。
【０１３１】
また、料金決定部１３７は、ユーザ負担料金演算機能を実現するため、占有時間算出部１３６によって算出された全ユーザの占有時間数の和を示す総占有時間数を算出し、当該総占有時間数から各ユーザの占有時間数を除算することによって、各ユ−ザの占有時間数における総占有時間数に占める割合を算出する。
【０１３２】
そして、料金決定部１３７は、算出された割合と、利用料金を乗算して、各ユーザの負担料金を演算する。
【０１３３】
さらに、料金決定部１３７は、演算により求められた各ユーザの負担料金と、カラオケの利用料金と、を表示部１１５及びリモコン装置２０に表示させるための画像データを生成し、生成した画像データを表示制御部１１６及び近距離無線通信部１１７に供給する。
【０１３４】
なお、表示部１１５及びリモコン装置２０は、生成された画像データを受信すると、ユーザに提示するために、利用料金の精算時に支払うべき、全利用料金と、各ユーザの負担料金と、を表示する。
【０１３５】
［３］カラオケ通信システムの動作
次に、図５〜図９を参照しつつ、本実施形態のカラオケ通信システム１の動作について説明する。
【０１３６】
なお、図５は、本実施形態のカラオケシステム１０において実行されるメイン処理を示すフローチャートであり、図６〜図９は、それぞれ、カラオケシステム１０において実行される準備処理、再生処理、終了後処理、及び、料金負担演算処理の詳細の動作を示すフローチャートである。
【０１３７】
本動作においては、以下の処理に先立って、記憶装置４０内のユーザ管理ＤＢ４０１には、図２に例示する各データが既に記憶されているとともに、カラオケシステム１０のシステム用ＤＢ１１９には、図４（Ａ）及び（Ｂ）に例示する各テーブルが、記憶済であるものとする。
【０１３８】
また、歌唱ユーザとともにカラオケに興じるグループメンバーは、既に、カラオケボックス５０に入場済の状態にあり、カメラＣによってグループに属するユーザの撮像及び顔の特徴点検出が完了し、ゲストログインユーザの識別及び人数が特定されているものとする。
【０１３９】
すなわち、ＲＯＭ／ＲＡＭ１２１には、各ユーザに割り当てられた識別情報と特徴点に関するデータと、がログインユーザ及びゲストログインユーザの種別とともに、対応付けて記憶済みの状態であるものとする。
【０１４０】
さらに、ＲＯＭ／ＲＡＭ１２１には、タイマ１２０に連動し、グループの入室タイミングを示す入室時刻が記憶されてあるとともに、リモコン装置２０には、選曲番号、楽曲ジャンル及び楽曲タイトルに対応する選曲用データ又は当該選曲用データを有するアプリケーションが、ダウンロード済みの状態になっているものとする。
【０１４１】
なお、本動作においては、受け付けた選曲番号に基づいてカラオケデータの再生を行うようになっているが、再生リストに予約され、所定のタイミングで予約されていた選曲番号のカラオケデータの再生が行われてもよい。
【０１４２】
［３．１］メイン処理
まず、図５を用いてカラオケシステム１０におけるメイン処理について説明する。
【０１４３】
なお、本処理は、リモコン装置２０から指示入力に対応する命令コマンドが、近距離無線通信部１１７により受信され、又は、再生予約リストに基づく、自動的な再生開始を検出した場合において、カラオケシステム１０において開始される処理である。
【０１４４】
まず、本処理において、カラオケシステム１０のデータ取得部１３１は、命令コマンドに対応する指示入力が受け付けられ、又は、自動的な再生開始の指示を検出すると（ユーザ切り替え操作等を示す。）（ステップＳ１）、システム制御部１１８は、ログイン管理部１３２及び画像解析部１３４と連動しつつ、指示入力又は再生予約の楽曲を選曲したユーザを特定する（ステップＳ２）。
【０１４５】
具体的には、システム制御部１１８は、カラオケ提供サービスに対するログイン状態に基づいて、指示入力又は再生予約を実行したユーザがログインユーザであるか、又は、ゲストログインユーザであるかを判定するとともに、ゲストログインユーザの場合には、画像解析部１３４における解析結果によって指示入力又は再生予約を実行したユーザを特定し、特定したユーザの識別情報をＲＯＭ／ＲＡＭ１２１に記憶させる。
【０１４６】
なお、このとき、システム制御部１１８は、近距離無線通信部１１７により受信された命令コマンドが、カラオケデータの選択指示でない場合には、ユーザによる誤入力の可能性があるので、そのまま、処理を終了するようにしてもよい。
【０１４７】
次いで、システム制御部１１８は、タイマ１２０を制御して、計時をスタートさせ（ステップＳ３）、ステップＳ１の指示入力が、ユーザによる楽曲の選曲又はカラオケデータを再生する際に用いる画像データの選択を行うための指示入力（以下、「選択開始指示」という。）か否かを判定する（ステップＳ４）。
【０１４８】
このとき、システム制御部１１８は、検出した指示入力が選択開始指示と判定すると、ステップＳ５の処理に移行し、当該検出した指示入力が選択開始操作でないと判定すると、ステップＳ７の処理に移行する。
【０１４９】
また、システム制御部１１８は、検出した指示入力が選択開始指示と判定すると、例えば、データ取得部１３１と連動して、管理サーバ装置３０から楽曲の選曲用又は画像の選択用の一覧データを取得するとともに、近距離無線通信部１１７を介して、リモコン装置２０に取得した一覧データを送信し、ユーザに選曲又は画像の選択を実行させる。
【０１５０】
なお、システム制御部１１８は、当該送信した一覧データに基づいて、ユーザが選曲した楽曲の選曲番号又は選択した画像データの画像ＩＤを受信して確定するまで、ユーザの指示入力に基づいて必要な一覧データを管理サーバ装置３０から取得してリモコン装置２０に送信する。
【０１５１】
次いで、システム制御部１１８は、リモコン装置２０から選曲番号又は画像ＩＤとともに送信された指示に基づいて、選曲又は画像の選択が確定したことを検出すると（ステップＳ５）、データ取得部１３１と連動して、図６に示す準備処理を実行し（ステップＳ６）、本動作を終了させる。なお、ステップＳ６の準備処理の詳細については後述する。
【０１５２】
次いで、システム制御部１１８は、ステップＳ１の指示入力がカラオケデータの再生開始指示（すなわち、楽曲の再生開始指示）であるか否かを判定する（ステップＳ７）。このとき、システム制御部１１８は、ステップＳ７の指示が再生開始指示であると判定すると、ステップＳ８の処理に移行し、当該指示が再生開始指示でないと判定すると、ステップＳ１０の処理に移行する。
【０１５３】
次いで、システム制御部１１８は、カラオケ再生部１１３及びデータ取得部１３１と連動しつつ、カラオケデータを再生する再生処理を実行し（ステップＳ８）、採点処理部１３３と連動して、当該カラオケデータに基づいて為されたカラオケに対する終了後処理を実行し（ステップＳ９）、本動作を終了させる。
【０１５４】
次いで、システム制御部１１８は、ステップＳ１の指示入力が料金計算指示であるか否かを判定する（ステップＳ１０）。このとき、システム制御部１１８は、ステップＳ１０の指示が料金計算指示であると判定すると、ステップＳ１１の処理に移行し、当該指示が料金計算指示でないと判定すると、計時を終了させつつ本動作を終了させる。
【０１５５】
次いで、システム制御部１１８は、占有時間計測部１３５、占有時間算出部１３６及び料金決定部１３７と連動しつつ、図９に示す料金演算処理を実行し（ステップＳ１１）、本動作を処理させる。
【０１５６】
［３．２］準備処理
次に、図６を用いて上記ステップＳ６の処理において実行される準備処理について説明する。なお、この処理は、システム制御部１１８がデータ取得部１３１及び占有時間計測部１３５と連動することにより実現される処理である。
【０１５７】
まず、システム制御部１１８は、占有時間計測部１３５と連動して、ステップＳ３の処理において計時を開始したタイマ１２０における計時時間数をタイマ１２０から取得し、リモコン装置の利用時間の計測を終了させて計測時間を確定させる（ステップＳａ１）。
【０１５８】
次いで、システム制御部１１８は、ステップＳ４以降に近距離無線通信部１１７によって受信されたユーザの入力指示（命令コマンド）に基づいて、選曲番号、画像ＩＤ又はその双方を特定する（ステップＳａ２）。
【０１５９】
次いで、システム制御部１１８は、データ取得部１３１と連動して、管理サーバ装置３０に選曲番号・画像ＩＤ又は双方を含むダウンロードのリクエスト（以下、「ダウンロードリクエスト」という。）を送信させ（ステップＳａ３）、タイマ１２０にダウンロード時間の計時を開始させる（ステップＳａ４）
【０１６０】
なお、管理サーバ装置３０は、受信したリクエストに含まれる選曲番号、画像ＩＤ又は双方に基づき、カラオケデータ用ＤＢ４０２から選曲されたカラオケデータの読み出し、画像ＤＢ４０３から画像ＩＤに対応する画像データの読み出し、及び、その双方を実行し、対応するカラオケシステム１０に読み出したデータを配信する。
【０１６１】
次いで、システム制御部１１８は、カラオケデータ、画像データ又はその双方のダウンロードの完了を検出すると（ステップＳａ５）、占有時間計測部１３５と連動して、ステップＳａ４の処理において計時を開始したタイマ１２０における計時時間数をタイマ１２０から取得し、ダウンロード時間の計測を終了させて計測時間を確定させる（ステップＳａ６）。
【０１６２】
次いで、システム制御部１１８は、ステップＳ２の処理において特定したユーザの識別情報と対応付けて、当該計測されたリモコン利用時間と、ダウンロード時間と、をＲＯＭ／ＲＡＭ１２１に記憶させて（ステップＳａ７）、準備処理を終了させる。
【０１６３】
［３．３］再生処理
次に、図７を用いて上記ステップＳ８の処理において実行される再生処理について説明する。なお、本処理は、システム制御部１１８が、カラオケ再生部１１３及び音声入力処理部１１２と連動することにより実現される処理である。
【０１６４】
まず、システム制御部１１８は、タイマ１２０にカラオケデータの再生時間の計時を開始させる（ステップＳｂ１）。
【０１６５】
次いで、システム制御部１１８は、データ取得部１３１によって管理サーバ装置３０から取得されたカラオケデータ（例えば、ＲＯＭ／ＲＡＭ１２１に記憶されているカラオケデータ）をカラオケ再生部１１３に供給し、又は、カラオケ再生部１１３にシステム用ＤＢ１１９に記憶されているカラオケデータを読み出させて、当該カラオケ再生部１１３に当該カラオケデータの再生を開始させる（ステップＳｂ２）。
【０１６６】
このとき、データ取得部１３１によって背景画像としての画像データが取得されている場合には、システム制御部１１８は、取得している画像データ（例えば、ＲＯＭ／ＲＡＭ１２１に記憶されている画像データ）をカラオケ再生部１１３に供給する。
【０１６７】
そして、このとき、カラオケ再生部１１３は、カラオケデータに含まれる楽曲データに基づき、ＭＩＤＩ音源を制御し、拡声処理部１１４を介して楽曲の音声をスピーカＳＰから出力させるとともに、マイクＭにより集音された歌唱音声に対応する音声データを音声入力処理部１１２から取得し、取得した音声データをアナログ信号に変換して楽曲の音声とともにスピーカＳＰから出力する。
【０１６８】
また、カラオケ再生部１１３は、カラオケデータに含まれる歌詞データと、表示制御データと、システム用ＤＢ１１９に記憶されている背景データ又はデータ取得部１３１によって背景画像として取得された画像データと、を表示制御部１１６に供給し、楽曲データの再生と同期させつつ、表示部１１５に背景画像上に歌詞が形成された画像を表示する。
【０１６９】
次いで、システム制御部１１８は、カラオケデータの再生終了（再生中の中止も含む）を検出すると（ステップＳｂ３）、占有時間計測部１３５と連動して、ステップＳｂ１の処理において計時を開始したタイマ１２０における計時時間数をタイマ１２０から取得し、再生時間の計測を終了させて計測時間を確定させる（ステップＳｂ４）。
【０１７０】
次いで、システム制御部１１８は、ステップＳ２の処理において特定したユーザの識別情報と対応付けて、当該計測された再生時間をＲＯＭ／ＲＡＭ１２１に記憶させて（ステップＳａ５）、再生処理を終了させる。
【０１７１】
［３．４］終了後処理
次に、図８を用いて上記ステップＳ９において実行される終了後処理について説明する。なお、本処理は、システム制御部１１８が、採点処理部１３３と連動することにより実現される処理である。
【０１７２】
まず、システム制御部１１８は、タイマ１２０にカラオケデータの終了後処理の時間（すなわち、採点に基づく利用時間）の計時を開始させる（ステップＳｃ１）。
【０１７３】
次いで、システム制御部１１８は、採点処理部１３３に、カラオケデータの再生中にマイクＭより取得した歌唱音声の音声データに基づいて採点処理を実行させる（ステップＳｃ２）。
【０１７４】
このとき、採点処理部１３３は、データ取得部１３１により取得されたカラオケデータに含まれる音高データ及びガイドメロディデータと、音声入力処理部１１２によって生成された音声データと、を比較して、採点処理を行うようになっている。
【０１７５】
次いで、採点処理部１３３は、採点結果に対応する画像データを生成するとともに、生成した画像データを表示制御部１１６に供給し、採点結果を表示部１１５に表示させる（ステップＳｃ３）。
【０１７６】
そして、システム制御部１１８は、採点結果の表示を終了させる旨の指示入力が近距離無線通信部１１７を介して終了指示を受け付けると（ステップＳｃ４）、占有時間計測部１３５と連動して、ステップＳｃ１の処理において計時を開始したタイマ１２０における計時時間数をタイマ１２０から取得し、終了後処理の時間の計測を終了させて計測時間を確定させる（ステップＳｂ４）。
【０１７７】
次いで、システム制御部１１８は、ステップＳ２の処理において特定したユーザの識別情報と対応付けて、当該計測された終了後の時間（すなわち、採点に基づく利用時間）をＲＯＭ／ＲＡＭ１２１に記憶させて（ステップＳｂ５）、終了後処理を終了させる。
【０１７８】
［３．５］料金演算処理
次に、図９を用いて上記ステップＳ１１において実行される料金演算処理について説明する。
【０１７９】
なお、本処理は、システム制御部１１８が、占有時間算出部１３６及び料金決定部１３７と連動することにより実現される処理である。また、本処理に先立って、各ユーザに関する、上記準備処理、再生処理、終了後処理が実行され、各ユーザに対応するユーザＩＤ等と対応付けつつ、再生時間等が記憶済みの状態にあるものとする。
【０１８０】
まず、占有時間算出部１３６は、重み付け係数テーブルＴＢＬ２に格納された重み付け係数に基づいて、ＲＯＭ／ＲＡＭ１２１に記憶されたリモコン装置の利用時間と、再生時間と、ダウンロード時間及び採点時間を加算し、グループに属するユーザ毎に占有時間数を算出する（ステップＳｄ１）。
【０１８１】
なお、占有時間算出部１３６は、リモコン装置の利用時間と、再生時間と、ダウンロード時間及び採点時間のそれぞれに重み付け係数テーブルＴＢＬ２の重み付け係数を乗算させて加算する。  
【０１８２】
次いで、料金決定部１３７は、算出された各ユーザの占有時間数を合計して総占有時間数を算出し（ステップＳｄ２）、各ユーザの占有時間数が総占有時間数に占める割合を算出する（ステップＳｄ３）。
【０１８３】
次いで、料金決定部１３７は、タイマ１２０と連動して、現在日時を特定し、ＲＯＭ／ＲＡＭ１２１に記憶された入室日時からの経過時間数を利用時間数として決定し、料金テーブルＴＢＬ１に格納されたデータと、利用時間数と、に基づき、当該グループの全利用料金を算出する（ステップＳｄ４）。
【０１８４】
次いで、料金決定部１３７は、算出した全利用料金と、算出された各ユーザの占有時間の割合と、に基づいて、ユーザ毎の負担料金を演算する（ステップＳｄ５）。
【０１８５】
最後に、料金決定部１３７は、全利用料金と、各ユーザの負担料金と、を表示させるための画像データを生成し、表示制御部１１６の制御の下、当該画像データに基づいて表示部１１５に負担料金及び全利用料金を表示させて（ステップＳｄ５）、料金演算処理を終了させる。
【０１８６】
以上説明したように、本実施形態のカラオケ通信システム１においては、グループにてカラオケに興じる場合に、各ユーザが歌唱した楽曲の再生時間のみならず、終了処理時間又は準備時間を含む占有時間を算出し、当該算出された占有時間に基づき、各ユーザの負担料金を決定して、ユーザに提示することができる。
【０１８７】
したがって、本実施形態のカラオケ通信システム１においては、グループにてカラオケに興じる際に実際にカラオケシステムを占有した時間を用いて算出することができるので、当該グループに属する各ユーザの利用料金負担を的確に公平に決定することができる。
【０１８８】
［４］変形例
［４．１］変形例１
次に、図１０を用いて本発明の料金演算処理の変形例について説明する。なお、図１０は、本変形例のカラオケシステム１０において実行される一部のユーザが存在しなくなった場合にその時点までの料金演算処理を示すフローチャートである。
【０１８９】
本処理は、システム制御部１１８が、占有時間算出部１３６及び料金決定部１３７と連動することにより実現される処理であり、上述の料金演算処理において料金計算指示に代えてユーザ人数変化指示を検出した場合に実行される処理である。
【０１９０】
なお、例えば、ユーザ人数の変化は、ユーザが帰宅等する際に、ユーザがカラオケ通信システム１のサービスからユーザがログアウトしたことを検出することによって、又は、画像解析部１３４によってカメラＣにて撮像された画像において、一定時間以上（例えば、３０分以上）同一のユーザを検出することができないことによって検出される。
【０１９１】
そして、本処理は、グループに属するユーザの人数が変化したことをメイン処理のステップＳ１の処理にて検出された場合に実行される処理となる。
【０１９２】
まず、ユーザの人数が変化したことによって、本変形例の料金演算処理の開始が実行されると、システム制御部１１８は、存在しなくなったユーザを特定する特定処理を実行する（ステップＳｅ１）。
【０１９３】
例えば、システム制御部１１８は、ログイン管理部１３２において当該ユーザがログアウトしたことを検出した場合には、当該ログアウトしたユーザを存在しなくなったユーザとして特定する。
【０１９４】
また、システム制御部１１８は、画像解析部１３４によって、撮像画像からユーザ人数の変化を検出した場合には、残ったユーザの顔の特徴量と、ＲＯＭ／ＲＡＭ１２１に記憶された特徴量に基づき、存在しなくなったユーザを特定する。
【０１９５】
次いで、システム制御部１１８は、占有時間算出部１３６と連動して、ユーザが存在しなくなったタイミングまでの当該存在しなくなったユーザを含む各ユーザの占有時間数を算出する（ステップＳｅ２）。
【０１９６】
次いで、料金決定部１３７は、算出された各ユーザの占有時間数を合計して総占有時間数を算出し（ステップＳｅ３）、各ユーザの占有時間数が総占有時間数に占める割合を算出する（ステップＳｅ４）。
【０１９７】
次いで、料金決定部１３７は、タイマ１２０と連動して、現在日時を特定し、ＲＯＭ／ＲＡＭ１２１に記憶された入室日時からの経過時間数を利用時間数として決定し、料金テーブルＴＢＬ１に格納されたデータと、利用時間数と、に基づき、存在しなくなるまでの当該グループの全利用料金を算出する（ステップＳｅ５）。
【０１９８】
次いで、料金決定部１３７は、算出した全利用料金と、算出された各ユーザの占有時間の割合と、に基づいて、存在しなくなったユーザを含むユーザ毎の負担率、負担料金又を演算する（ステップＳｅ６）。
【０１９９】
次いで、システム制御部１１８は、当該存在しなくなったユーザを含む各ユーザにおける負担料金を各ユーザに対応付けてＲＯＭ／ＲＡＭ１２１に記憶する（ステップＳｅ６）。
【０２００】
最後に、システム制御部１１８は、各ユーザのユーザＩＤ又は上記識別情報と、計測時間と、をＲＯＭ／ＲＡＭ１２１から削除して（ステップＳｅ７）、料金演算処理を終了させる。
【０２０１】
なお、ユーザが存在しなくなった場合の最終的な料金演算処理としては、本実施形態の料金演算処理において、システム制御部１１８は、ステップＳｄ４において全利用料金を算出する際に、算出したグループの全利用料金から、既にＲＯＭ／ＲＡＭ１２１に記録された各ユーザの負担料金を減算してユーザが存在しなくなったタイミング以降の全利用料金を算出する。
【０２０２】
そして、システム制御部１１８は、ステップＳｅ５の処理において、各ユーザの負担料金を算出する際に、既にＲＯＭ／ＲＡＭ１２１に記録された各ユーザの負担料金を加算して各ユーザの最終的な負担料金を算出する。
【０２０３】
［４．２］変形例２
上記実施形態においては、ユーザが１人にて歌唱する場合を例に説明をしたが、実際にグループにてカラオケに興じる場合には、複数のユーザによるデュエットが行われ、又は、いずれかのユーザの歌唱中に他のユーザが当該歌唱ユーザ（以下、「メイン歌唱ユーザ」という。）の代わりに歌唱すること、又は、当該メイン歌唱ユーザと一緒に歌唱する場合がある。
【０２０４】
この場合における再生時間を全て、歌唱ユーザの占有時間数に加算してしまうと、デュエット等を行った他のユーザとの兼ね合いにおいて、利用料金の負担に不公平が生じる可能性がある。
【０２０５】
そこで、本変形例においては、このような場合に、再生時間に乗算する重み付け係数を調整することにより、利用料金の負担に不公平が生じることを防止する。
【０２０６】
具体的には、デュエットを行った場合には、再生時間に対する重み付け係数を「０．６」、他のユーザが割り込んだ場合には、再生時間に対する重み付け係数を「０．４」などとする。
【０２０７】
この場合には、デュエットをしたユーザ、メイン歌唱ユーザの代わりに歌唱した他のユーザ、又は、当該歌唱ユーザと一緒に歌唱したユーザ（以下、まとめて「サブ歌唱ユーザ」という。）を検出する必要がある。
【０２０８】
そこで、システム制御部１１８は、カラオケシステム１０に複数のマイクＭが接続（有線接続及び無線接続を含む。）されている状態において、メイン歌唱ユーザの利用しているマイクＭ以外のマイクＭに対する歌唱音の入力を検出し、サブ歌唱ユーザを特定する。
【０２０９】
具体的には、システム制御部１１８は、カラオケデータの再生当初（再生開始後予め定められたタイミングまでの期間を含む）からサブ歌唱ユーザによる歌唱音声の入力を検出した場合には、デュエットが行われていると特定し、歌唱のスタート後に、他のユーザによる歌唱音声がマイクＭにて検出された場合には、サブ歌唱ユーザによって歌唱されたとして特定するようにすればよい。
【０２１０】
なお、マイクＭへの入力とともに、カメラＣによる撮像画像を解析することにより、デュエット等の特定精度を向上させることができる。
【０２１１】
［４．３］変形例３
上記実施形態においては、歌詞とともに表示部１１５に表させる背景画像に、例えば、歌唱時におけるユーザの歌唱状態が撮像されて録画された画像データを用いてもよい。
【０２１２】
すなわち、カラオケ通信システム１は、同一の楽曲に基づく他の歌唱ユーザの画像を背景画像として用いることによって、他の歌唱ユーザとコラボレーションしてカラオケを行うこともできる構成を有していてもよい。
【０２１３】
この場合には、歌唱終了時に希望するユーザが自己の歌唱した際の画像をコラボレーション用の画像（以下、「コラボレーション画像」又は「コラボ画像」という。）のデータ（以下、「コラボ用画像データ」という。）として管理サーバ装置３０にアップロードして、画像ＤＢ４０３に格納させる。
【０２１４】
そして、カラオケシステム１０は、コラボ用画像データをダウンロードさせてカラオケデータの再生を開始させると、現在歌唱中のユーザの歌唱者関連画像を表示部１１５の右半分に表示させるとともに、ダウンロードした歌唱者関連画像を左半分に表示させることにより、あたかも、他のユーザと同時に歌っているかのように見えるコラボ画像を歌唱中に表示部１１５に表示させることが可能となる。
【０２１５】
［４．４］変形例４
また、上記構成において、歌唱音声採点機能により、採点結果を表示する際に、採点結果の背景画像として、例えば、課金を前提にタレントのグラビア画像等を表示させ、採点結果に応じて、背景画像を変化させる（例えば、モザイクが一部消える等）ようにしてもよい。
【０２１６】
この場合には、システム制御部１１８は、課金された料金については、採点を利用しているユーザに加算する。
【０２１７】
［４．５］変形例５
また、上記実施形態において、ユーザ管理ＤＢ４０１に、図１１に例示するように各ユーザが保有しているチケットに関する情報を記憶させ、ユーザのログイン時に、当該電子チケットに関する情報を取得して、各ユーザのグループに対する貢献度に応じて、負担料金を決定するようにしてもよい。
【０２１８】
この場合には、例えば、１人のユーザが「利用料金１０％ＯＦＦ」のクーポンを所有している場合には、料金決定部１３７が、利用料金を算出する際に、全利用料金から１０％分を割り引くとともに、各ユーザの負担料金の演算後、所有ユーザの負担料金を１０％分割り引いて、各ユーザの負担料金を決定するようにすればよい。
【０２１９】
［４．６］変形例６
上記実施形態においては、歌唱者の歌唱音に基づくカラオケシステム１０について説明したが、ギターやドラムなどの楽器音に基づくカラオケシステム１０又はカラオケ通信システム１に適用することも可能である。この場合には、カラオケシステム１０は、マイクＭや他の入力装置によって楽器音や楽器信号を取得すればよい。
【０２２０】
［４．７］変形例７
上記実施形態において、一覧画像データは、リモコン装置２０に表示される形態で説明したが、カラオケシステム１０の表示部１１５に表示するようにしてもよい。
【符号の説明】
【０２２１】
１  …  カラオケ通信システム
１０  …  カラオケシステム
１１１  …通信制御部
１１２  …音声入力処理部
１１３  …カラオケ再生部
１１４  …拡声処理部
１１５  …表示部
１１６  …表示制御部
１１７  …近距離無線通信部
１１８  …システム制御部
１１９  …システム用ＤＢ
１２０  …タイマ
１２１  …ＲＯＭ／ＲＡＭ
１３０  …データ処理部
１３１  …データ取得部
１３２  …ログイン管理部
１３３  …採点処理部
１３４  …画像解析部
１３５  …占有時間計測部
１３６  …占有時間算出部
１３７  …料金決定部
３０  …  管理サーバ装置
４０  …  記憶装置
４０１  …  ユーザ管理ＤＢ
４０２  …  カラオケデータ用ＤＢ
４０３  …  画像ＤＢ
ＲＣ  …  リモコン装置
Ｃ  …  カメラ
Ｍ  …  マイク
【図１】
2017068142.tif 000003
【図２】
2017068142.tif 000004
【図３】
2017068142.tif 000005
【図４】
2017068142.tif 000006
【図５】
2017068142.tif 000007
【図６】
2017068142.tif 000008
【図７】
2017068142.tif 000009
【図８】
2017068142.tif 000010
【図９】
2017068142.tif 000011
【図１０】
2017068142.tif 000012
【図１１】
2017068142.tif 000013